(57)【要約】【課題】遮音性を向上させることができる引き戸を提供する。【解決手段】相手材に対してスライド可能に設けられスライドにより構造物の開口部を開閉する引き戸本体１０と、相手材と引き戸本体１０の戸尻１０２側との間における戸尻側隙間１０５の全部または一部を塞ぐ戸尻側隙間閉鎖手段２００とをもつ。戸尻側隙間閉鎖手段２００は、引き戸本体１０のうち戸尻１０２側の部分および相手材側のうちの少なくとも一方に設けられ、弾性材料を基材とする戸尻側隙間閉鎖要素２１０，２２０を備えている。【選択図】図２
2007314995.tif 000002
【特許請求の範囲】
【請求項１】
相手材に対してスライド可能に設けられスライドにより構造物の開口部を開閉する引き戸本体と、前記相手材と前記引き戸本体の戸尻側の部分との間における戸尻側隙間の全部または一部を塞ぐ戸尻側隙間閉鎖手段とを具備しており、
前記戸尻側隙間閉鎖手段は、
前記引き戸本体のうち前記戸尻側の部分および前記相手材側のうちの少なくとも一方に設けられ、弾性材料を基材とする戸尻側隙間閉鎖要素を備えていることを特徴とする引き戸。
【請求項２】
請求項１において、前記戸尻側隙間閉鎖要素は、前記引き戸本体のうち前記戸尻側の部分に設けられ弾性材料を基材とする第１戸尻側隙間閉鎖要素と、前記相手材側に設けられ前記引き戸本体がスライドされて閉鎖されたとき前記第１戸尻側隙間閉鎖要素に対面して接触する弾性材料を基材とする第２戸尻側隙間閉鎖要素とを備えていることを特徴とする引き戸。
【請求項３】
請求項１または２において、前記戸尻側隙間閉鎖要素は、前記引き戸本体のスライド方向に沿った断面で、中空室をもつ中空構造であることを特徴とする引き戸。
【請求項４】
請求項１〜３のうちのいずれか一項において、前記戸尻側隙間閉鎖要素は、前記引き戸本体のスライド方向に沿った断面で、少なくともリング形状部を有することを特徴とする引き戸。
【請求項５】
請求項１〜３のうちのいずれか一項において、前記戸尻側隙間閉鎖要素は、前記引き戸本体のスライド方向に沿った断面で、中空室を有すると共に、外方と前記中空室とを連通させる切欠を有することを特徴とする引き戸。
【請求項６】
請求項５において、前記戸尻側隙間閉鎖要素は、前記引き戸本体のスライド方向に沿った断面で、少なくともＣ形状を有することを特徴とする引き戸。
【請求項７】
請求項２において、前記引き戸本体のスライド方向に沿った断面において、スライド方向に沿って前記第１戸尻側隙間閉鎖要素の中心を通る第１中心線と、スライド方向に沿って前記第２戸尻側隙間閉鎖要素の中心を通る第２中心線とは、スライド方向と直交する方向において所定量ずれていることを特徴とする引き戸。
【請求項８】
請求項１〜７のうちのいずれか一項において、前記引き戸本体の上辺部側の上側隙間を閉鎖する上側隙間閉鎖手段が設けられており、
前記上側隙間閉鎖手段は、前記引き戸本体の閉鎖時において、前記引き戸本体の上辺部と前記構造物の前記開口部を形成する形成面との間における上側隙間を低減または閉鎖する遮音部材と、前記引き戸本体の閉鎖に伴い前記上側隙間を低減または閉鎖させる方向に前記遮音部材を移動させる作動部とをもつことを特徴とする引き戸。
【請求項９】
請求項１〜８のうちのいずれか一項において、前記引き戸本体の下辺部側の下側隙間を閉鎖する下側隙間閉鎖手段が設けられており、
前記下側隙間閉鎖手段は、前記引き戸本体の閉鎖時において、前記引き戸本体の下辺部と前記構造物の前記開口部を形成する形成面との間における下側隙間を低減または閉鎖する遮音部材と、前記引き戸本体の閉鎖に伴い前記下側隙間を低減または閉鎖させる方向に前記遮音部材を移動させる作動部とをもつことを特徴とする引き戸。
【発明の詳細な説明】
【技術分野】
【０００１】
本発明は遮音性を高めた引き戸に関する。
【背景技術】
【０００２】
近年、引き戸では、遮音性を更に高めることが要請されつつある。そこで、特許文献１には、引き戸本体の底面側に可動式の閉鎖部材を設け、引き戸本体を閉鎖させるとき、閉鎖部材を可動させて引き戸本体の底面と床面との間における隙間を閉鎖して遮音性を高める引き戸が開示されている。このものでは、引き戸本体の閉鎖時における遮音性が高まる。
【特許文献１】実公平７−４８９４４号公報
【発明の開示】
【発明が解決しようとする課題】
【０００３】
上記したように特許文献１に係る引き戸によれば、遮音性は対策されているものの、必ずしも充分ではない。
【０００４】
本発明は上記した実情に鑑みてなされたものであり、引き戸本体を閉鎖したときにおいて、引き戸本体の戸尻側における遮音性を高めることができる引き戸を提供することを課題とするにある。
【課題を解決するための手段】
【０００５】
（１）様相１に係る引き戸は、相手材に対してスライド可能に設けられスライドにより構造物の開口部を開閉する引き戸本体と、前記相手材と前記引き戸本体の戸尻側の部分との間における戸尻側隙間の全部または一部を塞ぐ戸尻側隙間閉鎖手段とを具備しており、前記戸尻側隙間閉鎖手段は、前記引き戸本体のうち戸尻側の部分および前記相手材側のうちの少なくとも一方に設けられ、弾性材料を基材とする戸尻側隙間閉鎖要素を備えていることを特徴とする。
【０００６】
引き戸本体がスライドされて閉鎖されたとき、戸尻側隙間閉鎖要素が弾性的に変形して戸尻側隙間の全部または一部を塞ぐため、引き戸本体の戸尻側における遮音性が向上する。
【０００７】
（２）様相２に係る引き戸は、様相１において、前記戸尻側隙間閉鎖要素は、前記引き戸本体のうち前記戸尻側の部分に設けられ弾性材料を基材とする第１戸尻側隙間閉鎖要素と、前記相手材側に設けられ前記引き戸本体がスライドされて閉鎖されたとき前記第１戸尻側隙間閉鎖要素に対面して接触する弾性材料を基材とする第２戸尻側隙間閉鎖要素とを備えていることを特徴とする。
【０００８】
（３）様相３に係る引き戸は、様相１または２において、前記戸尻側隙間閉鎖要素は、前記引き戸本体のスライド方向に沿った断面で、中空室をもつ中空構造であることを特徴とする。この場合、戸尻側隙間閉鎖要素の弾性変形性が高まり、戸尻側隙間閉鎖要素のスライド方向における潰し代が増加する。このため、引き戸本体の戸尻側における遮音性が向上する。
【０００９】
（４）様相４に係る引き戸は、様相１〜３において、前記戸尻側隙間閉鎖要素は、前記引き戸本体のスライド方向に沿った断面で、少なくともリング形状部を有することを特徴とする。この場合、戸尻側隙間閉鎖要素の弾性変形性が高まり、戸尻側隙間閉鎖要素のスライド方向における潰し代が増加する。このため、引き戸本体の戸尻側における遮音性が向上する。
【００１０】
（５）様相５に係る引き戸は、様相１〜３において、前記戸尻側隙間閉鎖要素は、前記引き戸本体のスライド方向に沿った断面で、中空室を有すると共に、外方と前記中空室とを連通させる切欠を有することを特徴とする。この場合、戸尻側隙間閉鎖要素の弾性変形性が高まり、戸尻側隙間閉鎖要素のスライド方向における潰し代が増加する。このため、引き戸本体の戸尻側における遮音性が向上する。
【００１１】
（６）様相６に係る引き戸は、様相５において、前記戸尻側隙間閉鎖要素は、前記引き戸本体のスライド方向に沿った断面で、少なくともＣ形状を有することを特徴とする。この場合、戸尻側隙間閉鎖要素の弾性変形性が高まり、スライド方向における潰し代が増加する。このため、引き戸本体の戸尻側における遮音性が向上する。
【００１２】
（７）様相７に係る引き戸は、様相２において、前記引き戸本体のスライド方向に沿った断面において、スライド方向に沿って前記第１戸尻側隙間閉鎖要素の中心を通る第１中心線と、スライド方向に沿って前記第２戸尻側隙間閉鎖要素の中心を通る第２中心線とは、スライド方向と直交する方向において所定量ずれていることを特徴とする。この場合、第１戸尻側隙間閉鎖要素と第２戸尻側隙間閉鎖要素との接触面積が増加する。このため、引き戸本体の閉鎖時において、第１戸尻側隙間閉鎖要素と第２戸尻側隙間閉鎖要素とが対面して接触するとき、シール性が高まり、引き戸本体の戸尻側における遮音性が向上する。
【００１３】
（８）様相８に係る引き戸は、各様相において、前記引き戸本体の上辺部側の上側隙間を閉鎖する上側隙間閉鎖手段が設けられており、前記上側隙間閉鎖手段は、前記引き戸本体の閉鎖時において、引き戸本体の上辺部と前記構造物の前記開口部を形成する形成面との間における上側隙間を低減または閉鎖する遮音部材と、前記引き戸本体の閉鎖に伴い前記上側隙間を低減または閉鎖させる方向に前記遮音部材を移動させる作動部とをもつことを特徴とする。この場合、引き戸本体の閉鎖時において、引き戸本体の上辺部側における遮音性が向上する。
【００１４】
（９）様相９に係る引き戸は、各様相において、前記引き戸本体の下辺部側の下側隙間を閉鎖する下側隙間閉鎖手段が設けられており、前記下側隙間閉鎖手段は、前記引き戸本体の閉鎖時において、引き戸本体の下辺部と前記構造物の前記開口部を形成する形成面との間における下側隙間を低減または閉鎖する遮音部材と、前記引き戸本体の閉鎖に伴い前記下側隙間を低減または閉鎖させる方向に前記遮音部材を移動させる作動部とをもつことを特徴とする。この場合、引き戸本体の閉鎖時において、引き戸本体の下辺部側における遮音性を高めることができる。
【発明の効果】
【００１５】
各様相によれば、引き戸本体をスライドさせて閉鎖させたときにおいて、戸尻側における遮音性を高めることができる。
【発明を実施するための最良の形態】
【００１６】
構造物としては、家屋やビル等の建築物を例示できる。開口部は、人が出入りする開口部（出入口）が挙げられるが、人が出入りしない換気用の開口部でも良い。開口部として、戸枠が取り付けられている形態でも、戸枠が取り付けられていない形態でも良い。
【００１７】
引き戸は、構造物の開口部をスライドにより開閉するものである。引き戸としては、スライドにより開閉するものであれば、戸車式引き戸、上吊り式引き戸の他に、ふすま、障子などを含むことができる。引き戸としては、複数枚１組のものでも、単数のものでも良い。相手材としては、構造物に固定される中方立等の固定部でも良いし、あるいは、相手材側の引き戸であっても良い。
【００１８】
引き戸は、相手材に対してスライド可能に設けられスライドにより構造物の開口部を開閉する引き戸本体と、相手材と引き戸本体の戸尻側の部分との間における戸尻側隙間の全部または一部を塞ぐ戸尻側隙間閉鎖手段とを備えている。戸尻側隙間閉鎖手段は、引き戸本体のうち戸尻側の部分および相手材側のうちの少なくとも一方に設けられ、弾性材料を基材とする戸尻側隙間閉鎖要素を備えている。戸尻側隙間閉鎖要素は、スライド方向に沿った断面で、中空室をもつ中空構造であることが好ましい。この場合、戸尻側隙間閉鎖要素の弾性変形性が高まり、スライド方向における潰し代が増加し、引き戸本体の戸尻側における遮音性が向上する。戸尻側隙間閉鎖要素は、スライド方向に沿った断面で、少なくともリング形状部を有することが好ましい。この場合、戸尻側隙間閉鎖要素の弾性変形性が高まり、スライド方向における潰し代が増加する。
【００１９】
戸尻側隙間閉鎖要素は、スライド方向に沿った断面で、中空室を有すると共に、外方と中空室とを連通させる切欠を有することが好ましい。戸尻側隙間閉鎖要素は、スライド方向に沿った断面で、少なくともＣ形状を有することが好ましい。この場合、戸尻側隙間閉鎖要素の弾性変形性が高まり、スライド方向における潰し代が増加し、引き戸本体の戸尻側における遮音性が向上する。
【００２０】
戸尻側隙間閉鎖手段または戸尻側隙間閉鎖要素は、好ましくは、引き戸本体のうち戸尻側の部分に設けられ弾性材料を基材とする第１戸尻側隙間閉鎖要素と、相手材側に設けられ引き戸本体がスライドされて閉鎖されたとき第１戸尻側隙間閉鎖要素に対面して接触する弾性材料を基材とする第２戸尻側隙間閉鎖要素とを備えている。ここで、スライド方向に沿った断面において、スライド方向に沿って第１戸尻側隙間閉鎖要素の中心を通る第１中心線と、スライド方向に沿って第２戸尻側隙間閉鎖要素の中心を通る第２中心線とは、スライド方向と直交する方向において所定量ずれている形態が例示される。この場合、第１戸尻側隙間閉鎖要素の弾性変形量、第２戸尻側隙間閉鎖要素の弾性変形量が確保され易い。従って、構造物に対する引き戸本体の取り付け性が経年変化等によって変化するときであっても、第１戸尻側隙間閉鎖要素と第２戸尻側隙間閉鎖要素との間の閉鎖性が確保され易いため、遮音性を高めるのに貢献できる。
【００２１】
本発明によれば、上側隙間閉鎖手段が設けられている形態が例示される。上側隙間閉鎖手段は、引き戸本体の閉鎖時において、引き戸本体の上辺部と構造物の開口部を形成する形成面との間における上側隙間を低減または閉鎖する遮音部材と、引き戸本体の閉鎖に伴い上側隙間を低減または閉鎖させる方向に遮音部材を移動させる作動部とをもつ。遮音部材としては例えばゴムや樹脂等の有機高分子系材料を基材として形成できる。
【００２２】
引き戸本体としては戸首をもつ形態が例示される。戸首は、引き戸本体の上辺部において上方に突出すると共にスライド方向に沿って延設されており、上辺部の一部を形成する突出部である。構造物の開口部としては、あるいは、構造物の開口部に取り付けられる戸枠としては、引き戸本体の戸首を嵌め込むと共にスライド方向に沿って延設された戸首嵌込溝をもつ形態が例示される。従って、戸首嵌込溝としては、構造物の開口部を形成する形成面に直接的に形成されていても良いし、あるいは、構造物の開口部に取り付けられる戸枠（その開口部を形成する形成面）に形成されていても良い。戸首は構造物の開口部等の戸首嵌込溝に嵌り込むため、引き戸本体のこれの厚み方向への転倒が防止される。
【００２３】
上側隙間閉鎖手段としては、戸首の少なくとも一部を形成すると共に遮音部材を保持する基体をもつ形態が例示される。この場合、遮音部材を保持する上側隙間閉鎖手段の基体（戸首の少なくとも一部）を利用して引き戸の転倒が防止される。
【００２４】
前記した作動部としては、引き戸本体が開放されるに伴い上側隙間を形成する方向に遮音部材を付勢するバネ部材と、引き戸本体が閉鎖されるに伴い上側隙間を低減または閉鎖させる方向に遮音部材を作動させる作動体とを備えている形態が例示される。この場合、引き戸本体が開放されるに伴い、バネ部材は、上側隙間を形成する方向に遮音部材を付勢する。引き戸本体が閉鎖されるに伴い、上側隙間を低減または閉鎖させる方向に作動体は遮音部材を作動させる。
【００２５】
また本発明の好ましい形態によれば、引き戸本体は、第１空間に対面する第１表面と、第２空間に対面すると共に第１表面に背向する第２表面とをもち、引き戸本体の厚み方向に沿った断面で、引き戸本体の上辺部において遮音部材よりも第１表面側に形成された第１上面開口と、上辺部において遮音部材よりも第２表面側に形成された第２上面開口と、第１上面開口および第２上面開口を連通させることにより第１空間と第２空間とを連通させる上側連通路とをもつ。この場合、引き戸が閉鎖されるとき、引き戸は第１空間と第２空間とを仕切る。ここで引き戸が閉鎖されているにもかかわらず、第１上面開口、第２上面開口および上側連通路により、第１空間と第２空間とを連通させる通気性が確保される。この場合、引き戸本体の上辺部において第１上面開口および第２上面開口が形成されているため、通常の状態では、使用者は、第１上面開口および第２上面開口の存在を視認することができない。故に、使用者に通気孔の存在を認識させずとも、第１空間と第２空間とを連通させる通気性が確保される。
【００２６】
また本発明の好ましい形態によれば、引き戸本体は、第１空間に対面する第１表面と、第２空間に対面すると共に第１表面に背向する第２表面とをもち、引き戸本体の厚み方向に沿った断面で、引き戸本体の上辺部において遮音部材よりも第１表面側および第２表面側のうちのいずれか一方側に形成された上面開口と、引き戸本体のうちの第１表面側および第２表面側のいずれか他方側に形成された表面開口と、上面開口および表面開口を連通させることにより第１空間と第２空間とを連通させる上側連通路とをもつ。この場合、上面開口、表面開口および上側連通路により、第１空間と第２空間とを連通させる通気性が確保される。更に本発明の好ましい形態によれば、前記した上側隙間閉鎖手段を上下逆にした下側隙間閉鎖手段が設けられている形態が例示される。
【実施例１】
【００２７】
以下、本発明を具体化した実施例１について図１〜図５を参照して具体的に説明する。本実施例は、直動方向にスライドさせて開閉させる方式の引き戸に適用したものである。各図は概念図であり、細部構造の寸法などまで規定するものではない。
【００２８】
図１に示すように、家屋や集合住宅等の構造物２において人が出入りする開口部２０が形成されている。開口部２０には、四角枠形状をなす戸枠３が設けられている。戸枠３は、構造物２の開口部２０の上側において横方向に延設された上枠３１と、開口部２０の下側において横方向に延設され案内レール部３２ｍをもつ下枠３２と、上枠３１および下枠３２を繋ぐ縦方向に延設された互いに対向する２個の側枠３３とを有する。
【００２９】
図１に示すように、引き戸１は戸枠３に取り付けられている。引き戸１は正面視で縦長の四角形状をなしている。引き戸１の主体をなす引き戸本体１０は、戸枠３の上枠３１に対面する上辺部１１と、戸枠３の下枠３２に対面すると共に戸車６をもつ下辺部１２と、互いに対向する２個の側辺部１３とをもつ。
【００３０】
図１に示すように、相手引き戸１Ｅは引き戸１と共に戸枠３に取り付けられている。相手引き戸１Ｅは正面視で縦長の四角形状をなしている。相手引き戸１Ｅの主体をなす相手引き戸本体１０Ｅは、戸枠３の上枠３１に対面する上辺部１１と、戸枠３の下枠３２に対面すると共に戸車６をもつ下辺部１２と、互いに対向する２個の側辺部１３とをもつ。引き戸１および相手引き戸１Ｅは、閉鎖されているとき締結ロック３６により締結されると、スライド不能となる。
【００３１】
図１に示すように、引き戸本体１０は戸先１００および戸尻１０２を有する。戸先１００は、引き戸本体１０の２つの側辺部１３のうち引き戸本体１０が矢印Ｐ２方向にスライドされて閉鎖されるとき、先端となる部位をいう。戸尻１０２は、引き戸本体１０の２つの側辺部１３のうち引き戸本体１０が矢印Ｐ２方向にスライドされて閉鎖されるとき、後端となる部位をいう。また、相手引き戸本体１０Ｅは戸先１００ｘおよび戸尻１０２ｘを有する。戸先１００ｘは、相手引き戸本体１０Ｅの２つの側辺部１３のうち相手引き戸本体１０Ｅが矢印Ｐ２方向にスライドされて閉鎖されるとき、先端となる部位をいう。戸尻１０２ｘは、相手引き戸本体１０Ｅの２つの側辺部１３のうち相手引き戸本体１０Ｅが矢印Ｐ２方向にスライドされて閉鎖されるとき、後端となる部位をいう。
【００３２】
図２は、引き戸本体１０および相手引き戸本体１０Ｅが閉鎖される方向にスライドされ、引き戸本体１０の戸尻１０２側と相手引き戸本体１０Ｅの戸尻１０２ｘ側とが接近している状態を示す。図２に示すように、相手引き戸本体１０Ｅの戸尻１０２側ｘと引き戸本体１０の戸尻１０２側との間における戸尻側隙間１０５の全部または一部を塞ぐ戸尻側隙間閉鎖手段２００が設けられている。
【００３３】
戸尻側隙間閉鎖手段２００は、引き戸本体１０の戸尻１０２側の部分に設けられ高分子系の弾性材料（ゴムまたは樹脂）を基材とする第１戸尻側隙間閉鎖要素２１０と、相手引き戸本体１０Ｅの戸尻１０２ｘ側の部分に設けられ高分子系の弾性材料（ゴムまたは樹脂）を基材とする第２戸尻側隙間閉鎖要素２２０とで形成されている。図３に示すように、第１戸尻側隙間閉鎖要素２１０は、硬質の高分子材料で形成された基部２７０と、基部２７０よりも軟質の高分子材料で基部２７０に一体的に形成されたシール部２８０とを備えている。基部２７０は、引き戸本体１０から突出するように露出する露出部２７１と、引き戸本体１０の取付孔１９に圧入で着脱可能にまたは着脱不能に取り付けられる挿入部２７２とをもつ。挿入部２７２は取付孔１９内に挿入されて隠蔽される。挿入部２７２は円筒形状の中空室２７３と、外周部に係合爪２７４とをもち、弾性変形性ひいては取付孔１９に対する圧入性が確保されている。基部２７０は角形状の中空室２７５をもち、シール部２８０よりも硬質ながらも弾性変形性、衝突時における衝撃緩和性が確保されている。シール部２８０は断面でリング形状をなしている。従って、シール部２８０は、断面で円形状のシール中空室２８１をもち、可撓変形性および弾性変形性が確保され、スライド方向における潰し代が確保されている。
【００３４】
第２戸尻側隙間閉鎖要素２２０は、部品点数の削減のため第１戸尻側隙間閉鎖要素２１０と同一のものであり、図３に示すように、相手引き戸本体１０Ｅの取付孔１９に圧入により着脱可能または着脱不能に取り付けられている。第２戸尻側隙間閉鎖要素２２０は、硬質の高分子材料で形成された基部２７０と、基部２７０よりも軟質の高分子材料で形成されたシール部２８０とを備えている。
【００３５】
上記したようにシール部２８０はシール中空室２８１を有するため、スライド方向（矢印Ｐ方向）におけるシール部２８０の潰し代が増加する。故に、戸枠３に対する引き戸本体１０および相手引き戸本体１０Ｅの取り付け性が必ずしも充分でないときであっても、第１戸尻側隙間閉鎖要素２１０のシール部２８０および第２戸尻側隙間閉鎖要素２２０のシール部２８０におけるシール性が良好に確保され、遮音性および遮光性を高めることができる。
【００３６】
上記したような断面でリング形状のシール部２８０については、引き戸本体１０のスライド方向（矢印Ｐ方向）の寸法をＤＡとし、引き戸本体１０のスライド方向と直交する方向（矢印ＰＸ方向）の寸法をＤＢとするとき、寸法ＤＢに対して寸法ＤＡの大きさを大きめに確保できる。このためスライド方向（矢印Ｐ方向）におけるシール部２８０の潰し代の大きさが確保され、ひいては戸尻側隙間１０５におけるシール性ひいては戸尻１０２，１０２ｘ側における遮音性を高めるのに貢献できる。
【００３７】
図２および図４に示すように、引き戸本体１０および相手引き戸本体１０Ｅが閉鎖される方向（矢印Ｐ２方向）にスライドされ、引き戸本体１０の戸尻１０２側と相手引き戸本体１０Ｅの戸尻１０２ｘ側とが接近するとき、第１戸尻側隙間閉鎖要素２１０のシール部２８０および第２戸尻側隙間閉鎖要素２２０のシール部２８０は、互いに接近する。図４に示すように、引き戸本体１０が戸枠３に閉鎖されるとき、引き戸本体１０の戸先１００は、戸枠３の側枠３３に設けられている戸枠シール３７に当たり、戸枠シール３７を弾性変形させることにより、引き戸本体１０の戸先側隙間１００ｃが塞がれる。これにより戸先１００側における遮音性および遮光性が確保される。相手引き戸本体１０Ｅの戸先１００ｘについても同様である。
【００３８】
引き戸本体１０および相手引き戸本体１０Ｅが閉鎖されているとき、図５に示すように、第１戸尻側隙間閉鎖要素２１０のシール部２８０および第２戸尻側隙間閉鎖要素２２０のシール部２８０は、互いに圧接して弾性変形している。これにより相手引き戸本体１０Ｅの戸尻１０２ｘ側と引き戸本体１０の戸尻１０２側との間に位置する戸尻側隙間１０５は良好に塞がれ、戸尻側隙間１０５におけるシール性、ひいては戸尻１０２，１０２ｘ側における遮音性および遮光性が確保される。
【００３９】
殊に、第１戸尻側隙間閉鎖要素２１０および第２戸尻側隙間閉鎖要素２２０の双方に弾性変形容易なシール部２８０が設けられているため、シール部２８０による潰し代が約２倍となり、シール性が向上し、ひいては遮音性および遮光性が向上する。引き戸本体１０および相手引き戸本体１０Ｅが閉鎖されているとき、基部２７０間の距離ＬＫ（図５参照）が引き戸本体１０の高さ方向に沿って変動することがある。更に距離ＬＫが経年変化によって変動することがある。このようなときであっても本実施例によれば、第１戸尻側隙間閉鎖要素２１０および第２戸尻側隙間閉鎖要素２２０のシール部２８０による潰し代（スライド方向の潰し代）が良好に確保されているため、距離ＬＫの変動に対処することができる。
【００４０】
図５に示すように、第１戸尻側隙間閉鎖要素２１０のシール部２８０の中心をスライド方向に沿って通る第１中心線Ｎ１と、第２戸尻側隙間閉鎖要素２２０のシール部２８０の中心をスライド方向に沿って通る第２中心線Ｎ２とは、スライド方向と直交する方向（矢印ＰＸ方向）において所定量ΔＮ３ずれている。このためシール部２８０は矢印Ｐ方向ばかりか、矢印ＰＸ方向にも良好に弾性変形できる。故に、第１戸尻側隙間閉鎖要素２１０のシール部２８０の弾性変形量と、第２戸尻側隙間閉鎖要素２２０のシール部２８０の弾性変形量とが良好に確保され、戸尻側隙間１０５におけるシール性を向上させ得、戸尻１０２，１０２ｘ側における遮音性を高め得る。
【００４１】
なお、図６に示すように、基部２７０およびシール部２８０をもつ第１戸尻側隙間閉鎖要素２１０を引き戸本体１０の戸尻１０２側に取り付けるものの、相手引き戸本体１０Ｅの戸尻１０２ｘ側には、基部２７０を有するもののシール部２８０を有しない第２戸尻側隙間閉鎖要素２２０を取り付けることにしても良い。また図７に示すように、基部２７０およびシール部２８０をもつ第２戸尻側隙間閉鎖要素２２０を相手引き戸本体１０Ｅの戸尻１０２ｘ側に取り付けるものの、引き戸本体１０の戸尻１０２側には、基部２７０を有するもののシール部２８０を有しない第１戸尻側隙間閉鎖要素２１０を取り付けることにしても良い。
【実施例２】
【００４２】
図８は実施例２を示す。本実施例は実施例１と基本的には同様の構成、作用効果を有する。共通する部位に共通の符号を付する。以下、異なる部分を中心として説明する。図８は引き戸本体１０のスライド方向（矢印Ｐ方向）に沿った断面を示す。図８に示すように、第１戸尻側隙間閉鎖要素２１０および第２戸尻側隙間閉鎖要素２２０はシール部２８０Ｂをもつ。シール部２８０Ｂは、断面で円形状のシール中空室２８１を有すると共に、外方とシール中空室２８１とを連通させる切欠２８３と、切欠２８３で形成された自由端２８５とをもつ。従って、シール部２８０Ｂは、スライド方向に沿った断面でＣ形状をなしている。シール部２８０Ｂは切欠２８３を有するため、スライド方向におけるシール部２８０Ｂの変形容易性および潰し代が確保され、シール性、ひいては遮音性および遮光性を高め得る。更にシール部２８０Ｂは切欠２８３を有し、変形容易性を有するため、使用期間が長期にわたったとしても耐へたり性を向上させ得る。
【００４３】
図８に示すように、第１戸尻側隙間閉鎖要素２１０および第２戸尻側隙間閉鎖要素２２０において、切欠２８３は互いに反対方向に指向しているが、これに限らず、同一方向に指向していても良い。
【実施例３】
【００４４】
図９は実施例３を示す。本実施例は実施例１と基本的には同様の構成、作用効果を有する。共通する部位に共通の符号を付する。以下、異なる部分を中心として説明する。図９は引き戸本体１０のスライド方向（矢印Ｐ方向）に沿った断面を示す。図９に示すように、第１戸尻側隙間閉鎖要素２１０および第２戸尻側隙間閉鎖要素２２０はシール部２８０Ｃをもつ。シール部２８０Ｃは、断面で蒲鉾形状のシール中空室２８１を有すると共に、外方とシール中空室２８１とを連通させる切欠２８３と、切欠２８３で形成された自由端２８５と、弾性変形の支点となり易い根元部２８７とをもつ。シール部２８０Ｃは、スライド方向に沿った断面で偏平Ｃ形状（蒲鉾形状）をなしている。
【００４５】
上記した偏平Ｃ形状のシール部２８０Ｃについては、図９に示すように、引き戸本体１０のスライド方向（矢印Ｐ方向）の寸法をＤＡとし、引き戸本体１０のスライド方向と直交する方向（矢印ＰＸ方向）の寸法をＤＢとするとき、寸法ＤＢに対して寸法ＤＡの大きさが小さめとなる。シール部２８０Ｃは切欠２８３を有するため、根元部２８７を介してシール部２８０Ｃは容易に変形することができるため、耐へたり性が向上する。更にシール部２８０Ｃは断面で偏平Ｃ形状（ＤＢ＞ＤＡ）をなしているため、第１戸尻側隙間閉鎖要素２１０のシール部２８０Ｃと第２戸尻側隙間閉鎖要素２２０のシール部２８０Ｃ同士が接触するとき、接触面積を増加できる。これにより戸尻側隙間１０５におけるシール性、ひいては戸尻１０２，１０２ｘ側における遮音性および遮光性を高め得る。
【実施例４】
【００４６】
図１０は実施例４を示す。本実施例は実施例１と基本的には同様の構成、作用効果を有する。共通する部位に共通の符号を付する。以下、異なる部分を中心として説明する。図１０は引き戸本体１０のスライド方向（矢印Ｐ方向）に沿った断面を示す。図１０に示すように、戸尻側隙間閉鎖手段２００は、引き戸本体１０の戸尻１０２側の部分に設けられ弾性材料を基材とする第１戸尻側隙間閉鎖要素２１０と、相手引き戸本体１０Ｅの戸尻１０２ｘ側の部分に設けられ弾性材料を基材とする第２戸尻側隙間閉鎖要素２２０とで形成されている。図１０に示すように、第１戸尻側隙間閉鎖要素２１０は、シール部２８０Ｃよりも硬質の高分子材料で形成された基部２７０と、基部２７０よりも軟質の高分子材料で形成されたシール部２８０Ｃとをもつ。シール部２８０Ｃは、蒲鉾形状のシール中空室２８１を有すると共に、外方とシール中空室２８１とを連通させる切欠２８３と、切欠２８３で形成された自由端２８５と、弾性変形の支点となり易い根元部２８７とをもつ。従って、シール部２８０Ｃは断面で偏平Ｃ形状（蒲鉾形状）をなしている。図１０に示すように、第２戸尻側隙間閉鎖要素２２０は、硬質の高分子材料で形成された基部２７０と、基部２７０よりも軟質の高分子材料で形成されたシール部２８０とをもつ。シール部２８０は、断面でリング形状をなしており、断面で円形状のシール中空室２８１を有するものの、切欠を有しない。
【実施例５】
【００４７】
図１１は実施例５を示す。本実施例は実施例１と基本的には同様の構成、作用効果を有する。共通する部位に共通の符号を付する。以下、異なる部分を中心として説明する。実施例４に対して、図１１に示すように断面でリング形状のシール部２８０と、断面で偏平Ｃ形状のシール部２８０Ｃとが逆の配置とされている。
【実施例６】
【００４８】
図１２は実施例６を示す。本実施例は実施例１と基本的には同様の構成、作用効果を有する。但し、引き戸本体１０の戸尻１０２側に取り付けられている第１戸尻側隙間閉鎖要素２１０にはシール部２８０は形成されていない。相手引き戸本体１０Ｅの戸尻１０２ｘ側に取り付けられている第２戸尻側隙間閉鎖要素２２０は断面で偏平Ｃ形状のシール部２８０Ｃをもつ。
【実施例７】
【００４９】
図１３は実施例７を示す。本実施例は実施例１と基本的には同様の構成、作用効果を有する。図１３に示すように、相手引き戸本体１０Ｅの戸尻１０２ｘ側に取り付けられている第２戸尻側隙間閉鎖要素２２０のシール部２８０は、断面でリング形状のシール中空室２８１をもつ筒形状をなしている。これに対して引き戸本体１０の戸尻１０２側に取り付けられている第１戸尻側隙間閉鎖要素２１０はシール部２８０Ｅをもつ。シール部２８０Ｅは、第２戸尻側隙間閉鎖要素２２０のシール部２８０に向かうにつれて拡開する断面でＶ形状をなし、中空溝２８０ｋをもつため、第２戸尻側隙間閉鎖要素２２０のシール部２８０を中空溝２８０ｋに良好に嵌合でき、シール性が確保され、遮音性および遮光性が確保される。シール部２８０Ｅの中心線Ｎ５とシール部２８０の中心線Ｎ６とは、矢印ＰＸ方向において接近しているか、合致していることが好ましい。
【００５０】
なお、断面でＶ形状のシール部２８０Ｅと断面でリング形状のシール部２８０との位置を逆にしても良い。あるいは、断面でリング形状のシール部２８０に代えて、断面で偏平Ｃ形状のシール部２８０Ｃを採用しても良い。
【実施例８】
【００５１】
図１４は実施例８を示す。本実施例は実施例１と基本的には同様の構成、作用効果を有する。図１４に示すように、引き戸本体１０の戸尻１０２側に取り付けられている第１戸尻側隙間閉鎖要素２１０はシール部２８０Ｈをもつ。シール部２８０Ｈは、断面で、スライド方向に沿って長径となる長円リング形状のシール中空室２８１をもつ。第２戸尻側隙間閉鎖要素２２０は複数のシール部２８０Ｈをもつ。第２戸尻側隙間閉鎖要素２２０では、スライド方向と直交する方向（矢印ＰＸ方向）においてシール部２８０Ｈが複数個並設されており、シール部２８０Ｈ間に圧入空間２８９を形成している。引き戸本体１０と相手引き戸本体１０Ｅとが閉鎖されると、第２戸尻側隙間閉鎖要素２２０の複数のシール部２８０Ｈ間の圧入空間２８９に第１戸尻側隙間閉鎖要素２１０のシール部２８０Ｈが圧入され、シール性が確保され、ひいては遮音性および遮光性が確保される。
【実施例９】
【００５２】
図１５は実施例９を示す。本実施例は実施例１と基本的には同様の構成、作用効果を有する。但し、相手引き戸本体１０Ｅは設けられておらず、構造物２の固定部として機能する中方立２５ｍ（相手材）が設けられている。中方立２５ｍに対して引き戸１の引き戸本体１０がスライド方向に沿って移動されて開閉される。図１５に示すように、引き戸本体１０の戸尻１０２側には第１戸尻側隙間閉鎖要素２１０が着脱可能または着脱不能に取り付けられている。第１戸尻側隙間閉鎖要素２１０は基部２７０とシール部２８０Ｍとをもつ。中方立２５ｍ側には第２戸尻側隙間閉鎖要素２２０が着脱可能または着脱不能に取り付けられている。第２戸尻側隙間閉鎖要素２２０は基部２７０とシール部２８０Ｍとをもつ。上記したシール部２８０Ｍは、シール中空室２８１と、壁部を波形状とした蛇腹部２８８とをもつ。スライド方向（矢印Ｐ方向）における潰し代が蛇腹部２８８により確保される。ひいてはシール、遮音性および遮光性が確保される。
【実施例１０】
【００５３】
図１６〜図１９は実施例１０を示す。本実施例は前記した実施例１と基本的には同様の構成、作用効果を有している。よって、引き戸本体１０の戸尻１０２側の部分には、弾性材料を基材とする第１戸尻側隙間閉鎖要素２１０が設けられている。相手引き戸本体１０Ｅの戸尻１０２ｘ側には、弾性材料を基材とする第２戸尻側隙間閉鎖要素２２０が設けられている。
【００５４】
以下、異なる部分を中心として説明する。図１６に示すように、引き戸本体１０および相手引き戸本体１０Ｅ（以下、引き戸本体１０，１０Ｅと略記することもある）は、戸枠３に取り付けられている。図１８に示すように、引き戸１の主体をなす引き戸本体１０は、第１空間１４ｘに対面する第１表面１４と、第２空間１５ｘに対面する第２表面１５とをもつ。図１８に示すように、引き戸１の戸首（後述する上側ケース４１）と戸枠３の上枠３１との間には、隙間量ΔＥ１をもつ上側隙間９１が形成されている。
【００５５】
図１９に示すように、引き戸１の下辺部１２と戸枠３の下枠３２との間には、隙間量ΔＥ２をもつ下側隙間９２が形成されている。上側隙間９１および下側隙間９２が形成されているため、引き戸１を開閉させるときの抵抗が低減されている。
【００５６】
図１７に示すように、上側隙間閉鎖手段４は、引き戸本体１０の上辺部１１側に設けられている。上側隙間閉鎖手段４は、上辺部１１よりも上方（矢印Ｕ１方向）に向けて移動可能に設けられた上側遮音部材４０と、上側遮音部材４０を上辺部１１よりも上方（矢印Ｕ１方向）に向けて移動させる上側作動部４５とをもつ。図１７に示すように、上側作動部４５は、上辺部１１に配置され上側収容室４１ｒをもつ上側ケース４１（上側基体）と、引き戸１が開放されるに伴い上側隙間９１を形成する方向に上側遮音部材４０を付勢する上側バネ部材４２と、引き戸１が閉鎖されるに伴い上側隙間９１を低減または閉鎖させる方向（矢印Ｕ１方向）に上側遮音部材４０を作動させる上側作動体４３とを備えている。
【００５７】
図１８に示すように、構造物２の開口部２０に取り付けられている戸枠３の上枠３１には、凹状の戸首嵌込溝３８が形成されている。戸首嵌込溝３８は引き戸本体１０のスライド方向に沿って長溝状に延設されている。上側隙間閉鎖手段４の上側ケース４１は、金属（例えばアルミニウム合金系、鉄系、チタン系等）または硬質樹脂等の材料で形成されており、上側ケース４１の下半分４１ｄは、引き戸本体１０の上辺部１１の内部に埋設されている。図１８において、上側隙間閉鎖手段４の上側ケース４１の幅（引き戸１の厚み方向における寸法）は、Ｌ１として示される。上側ケース４１の幅Ｌ１は、引き戸本体１０の厚み寸法ＴＡよりも小さく設定されている。上側ケース４１の上端部４１ｕは、引き戸本体１０の上辺部１１よりも上方に向けて高さＨ１で突出している。上側ケース４１は、戸枠３の上枠３１の凹状の戸首嵌込溝３８に着脱可能に嵌め込まれている。これにより上側ケース４１は戸首として作用することができる。戸首作用により、引き戸本体１０は矢印Ｒ１，Ｒ２方向（図１８参照，引き戸本体１０の厚み方向に沿った方向）への転倒が防止されており、引き戸本体１０が戸枠３から離脱しないようにされている。なお図１８に示すように、戸首嵌込溝３８は溝側面３８ａと溝天井面３８ｃとをもち、溝側面および溝天井面３８ｃは、構造物の開口部を形成する形成面としての役割を担う。戸首嵌込溝３８の深さはＨ２として示され，その幅はＬ２（Ｌ２＞Ｌ１）として示されている。
【００５８】
図１８に示すように、上側遮音部材４０は、上側ケース４１の収容室４１ｒに保持された金属または硬質樹脂等の硬質材料で形成された上側硬質部材４０１と、上側ケース４１の収容室４１ｒに上側硬質部材４０１に上向きに保持されたゴムまたは樹脂等の軟質材料で可撓性を有するように形成された上側軟質部材４０２とで形成されている。なお、上側軟質部材４０２は、戸枠３の上枠３１の溝天井面３８ｃに対する弾性変形性および密着シール性を高めるべく、中空室４０３を有する。但し、中空室４０３を廃止し、上側軟質部材４０２の内部に多孔質体を埋設した構造としても良いし、あるいは、中実構造としても良い。
【００５９】
本実施例によれば、図１７に示すように、上側バネ部材４２は、複数の曲成部４２ｍを並設状態に有するように蛇行状に曲成された板バネで形成されており、上側ケース４１の収容室４１ｒの延設方向に沿って、つまり上辺部１１に沿って延設されている。曲成部４２ｍには付設部４２ｋが複数個取り付けられている。上側作動体４３は、上側ケース４１の収容室４１ｒの端部において矢印Ｓ１，Ｓ２方向（引き戸本体１０の上辺部１１に沿った方向）に移動可能に設けられている。ここで、上側バネ部材４２の先端部４２ａと上側作動体４３とが接触係合していると共に、上側作動体４３の突起状の上側操作子４６が引き戸本体１０の側辺部１３よりも外方に突出するように設けられている。
【００６０】
引き戸１が矢印Ｐ１方向にスライドされて開放されているときには、図１７に示すように、上側作動体４３の上側操作子４６が戸枠３の側枠３３から離間するため、上側バネ部材４２の付勢力により上側操作子４６が引き戸本体１０の側辺部１３よりも外方（矢印Ｐ２方向）に突出して露出している。これに対して、引き戸１が矢印Ｐ２方向にスライドされて閉鎖されるときには、図示しないものの、上側作動体４３の上側操作子４６が戸枠３の側枠３３に当接するため、上側操作子４６が退避方向（矢印Ｐ１方向）に押圧されて引き戸本体１０の側辺部１３内に退避される。すると、上側作動体４３が退避方向（矢印Ｓ１方向）に移動し、ひいては上側バネ部材４２の曲成部４２ｍが直状に近づくように弾性変形される。この結果、上側バネ部材４２は上側硬質部材４０１および上側軟質部材４０２を上方（矢印Ｕ１方向）に移動させる。これにより引き戸１が閉鎖されているときには、図１８の仮想線に示すように、上側軟質部材４０２が戸枠３の上枠３１の溝天井面３８ｃに圧接し、上辺部１１における上側隙間９１が閉鎖され、引き戸本体１０の上辺部１１側におけるシール性、遮音性および遮光性が確保される。
【００６１】
また、引き戸１が開放方向（矢印Ｐ１方向）にスライドされて開放されると、図１７に示すように、戸枠３の側枠３３から上側作動体４３の上側操作子４６が離間する。このため上側作動体４３が上側バネ部材４２を拘束する程度が低減され、上側バネ部材４２の付勢力により上側操作子４６が引き戸本体１０の側辺部１３よりも外方に突出する。つまり、上側操作子４６は露出方向（矢印Ｐ２方向）に側辺部１３よりも突出する。更に、上記したように上側バネ部材４２の曲成部４２ｍが元の形状に復元されるため、上側バネ部材４２は上側硬質部材４０１および上側軟質部材４０２を下方（矢印Ｕ２方向）に移動させ、上側軟質部材４０２は上枠３１から離間する。このため引き戸１を開放させる抵抗が低減される。
【００６２】
更に本実施例によれば、図１６および図１７に示すように、引き戸本体１０，１０Ｅの下辺部１２側には下側隙間閉鎖手段５が設けられている。下側隙間閉鎖手段５は、上側隙間閉鎖手段４と同一の機構を備えており、上下を逆にしたものである。図１７に示すように、下側隙間閉鎖手段５は、下辺部１２よりも下方（矢印Ｄ１方向）に向けて移動可能に設けられた下側遮音部材５０と、下側遮音部材５０を下辺部１２よりも下方（隙間閉鎖方向、矢印Ｄ１方向）に向けて移動させる下側作動部５５とをもつ。
【００６３】
図１７に示すように、下側作動部５５は、引き戸１の下辺部１２に配置され下側収容室５１ｒをもつ下側ケース５１（下側基体）と、引き戸１が開放されるに伴い下側隙間９２を形成する方向に下側遮音部材５０を付勢する下側バネ部材５２と、引き戸１が閉鎖されるに伴い下側隙間９２を閉鎖させる方向（矢印Ｄ１方向）に下側遮音部材５０を作動させる下側作動体５３とを備えている。
【００６４】
図１９に示すように、下側隙間閉鎖手段５は、引き戸本体１０の下辺部１２において、これの厚み方向の中央域よりも偏芯して配置されている。即ち、下側隙間閉鎖手段５の中心線ＭＤは、引き戸本体１０の厚み方向の中心線ＭＣに対してΔＭ偏芯している。従って、引き戸本体１０の下辺部１２には、転動可能な戸車６が支持軸部６ｍを介して取り付けられている。引き戸本体１０がスライドされるとき、戸車６は戸枠３の下枠３２の案内レール部３２ｍに沿って転動する。
【００６５】
図１９に示すように、下側遮音部材５０は、下側ケース５１の収容室５１ｒに保持された金属または硬質樹脂等の硬質材料で形成された下側硬質部材５０１と、下側ケース５１の収容室５１ｒに下側硬質部材５０１に下向きに保持されたゴムまたは樹脂等の軟質材料で形成された下側軟質部材５０２とで形成されている。なお、下側軟質部材５０２は、戸枠３の下枠３２への弾性変形性、密着シール性を高めるべく、中空室５０３を有する。
【００６６】
図１７に示すように、下側バネ部材５２は、複数の曲成部５２ｍを並設状態に有するように蛇行状に曲成された板バネで形成されており、下側ケース５１の収容室５１ｒの延設方向に沿って、つまり下辺部１２に沿って延設されている。曲成部５２ｍには付設部５２ｋが取り付けられている。
【００６７】
下側作動体５３は、下側ケース５１の収容室５１ｒの端部において矢印Ｓ１方向（退避方向），矢印Ｓ２方向（露出方向）に移動可能に設けられている。ここで、下側バネ部材５２の先端部５２ａと下側作動体５３とが接触係合していると共に、下側作動体５３の突起状の下側操作子５６が引き戸本体１０の側辺部１３よりも外方（矢印Ｐ２方向）に突出するように設けられている。
【００６８】
引き戸１が戸開放方向（矢印Ｐ１方向）にスライドされて開放されているときにおいては、図１７に示すように、下側作動体５３の下側操作子５６が下側バネ部材５２の付勢力により引き戸本体１０の側辺部１３から露出する方向（矢印Ｐ２方向）に突出している。これに対して、引き戸１が矢印Ｐ２方向にスライドされて閉鎖されるときには、下側作動体５３の下側操作子５６が戸枠３の側枠３３に当接するため、下側操作子５６が退避方向（矢印Ｐ１方向）に移動される。すると、下側作動体５３が退避方向（矢印Ｓ１方向）に移動し、ひいては下側バネ部材５２の曲成部５２ｍが直状に近づくように弾性変形される。この結果、下側バネ部材５２は下側硬質部材５０１および下側軟質部材５０２を下方（隙間閉鎖方向、矢印Ｄ１方向）に移動させる。これにより下側軟質部材５０２が戸枠３の下枠３２に圧接し、下側隙間９２が閉鎖する。これにより引き戸本体１０の下辺部１２側における遮音性が確保される。
【００６９】
上記したように引き戸１が開放されるときには、下側バネ部材５２の曲成部５２ｍが元の形状に復元しようとする。このため、図１７に示すように、下側作動体５３の下側操作子５６が下側バネ部材５２の付勢力により引き戸本体１０の側辺部１３よりも外方（矢印Ｐ２方向）に突出する。更に、下側バネ部材５２の曲成部５２ｍが元の形状に復元されるため、下側バネ部材５２は下側硬質部材５０１および下側軟質部材５０２を上方（矢印Ｄ２方向）に移動させる。これにより下側軟質部材５０２が下枠３２から離れるため、引き戸１を開放させる抵抗が低減される。
【００７０】
上記したように本実施例によれば、引き戸本体１０，１０Ｅの上辺部１１側には、引き戸本体１０，１０Ｅの閉鎖時に上辺部１１よりも上方の上側隙間９１を閉鎖させる上側隙間閉鎖手段４が設けられている。この結果、引き戸１，１０Ｅの閉鎖時には、上側隙間閉鎖手段４を構成する上側軟質部材４０２が戸枠３の上枠３１に圧接し、上側隙間９１が閉鎖され、上辺部１１側における遮音性および遮光性が確保される。
【００７１】
更に本実施例によれば、引き戸本体１０，１０Ｅの下辺部１２側には、引き戸本体１０，１０Ｅの閉鎖時に下辺部１２よりも下方の下側隙間９２を閉鎖させる下側隙間閉鎖手段５が設けられている。同時に、下側隙間閉鎖手段５を構成する下側軟質部材５０２が戸枠３の下枠３２に圧接し、下側隙間９２が閉鎖され、下辺部１２側における遮音性および遮光性が確保される。この結果、引き戸１，１Ｅの閉鎖時において、引き戸本体１０の上辺部１１側および下辺部１２側の双方において、第１空間１４ｘと第２空間１５ｘとの間における音の伝播および光の伝播が抑えられ、遮音性および遮光性の高い引き戸１を提供することができる。
【実施例１１】
【００７２】
図２０および図２１は実施例１１を示す。本実施例は実施例１０と基本的には同様の構成、作用効果を有する。共通する部位に共通の符号を付する。図２０および図２１（引き戸本体１０の厚み方向に沿った断面）に示すように、引き戸本体１０の上辺部１１においては、上側遮音部材４０よりも第１表面１４側に第１上面開口６１が上向きに形成されていると共に、上側遮音部材４０よりも第２表面１５側に第２上面開口６２が上向きに形成されている。更に、第１上面開口６１および第２上面開口６２を連通させる上側連通路６３が引き戸本体１０の内部に形成されている。上側連通路６３により、第１空間１４ｘと第２空間１５ｘとを連通させる。なお、図２０に示すように、第１上面開口６１、第２上面開口６２および上側連通路６３は、断面でほぼ凹形状をなしている。
【００７３】
引き戸１，１Ｅが閉鎖されているとき、第１空間１４ｘと第２空間１５ｘとは仕切られる。ここで、引き戸本体１０，１０Ｅの上辺部１１において第１上面開口６１および第２上面開口６２が形成されているため、通常の状態では、使用者は、第１上面開口６１および第２上面開口６２の存在を視認することができない。故に、引き戸１が閉鎖されているときであっても、使用者に通気孔の存在を認識させずとも、第１空間１４ｘと第２空間１５ｘとを連通させる通気性（図２０において矢印Ｘ１方向の通気性）が確保される。更に通気性を確保しつつ遮光性も確保される。
【００７４】
更に本実施例によれば、図２１に示すように、引き戸本体１０，１０Ｅの第１表面１４において下部側に形成された横向きの表面開口７１と、引き戸本体１０，１０Ｅの下辺部１２に形成された下向きの下面開口７２と、表面開口７１および下面開口７２を連通させることにより第１空間１４ｘと第２空間１５ｘとを連通させる下側連通路７３とが形成されている。この結果、第１空間１４ｘと第２空間１５ｘとを連通させる通気性が一層確保される。更に下面開口７２は下向きであるため、第１空間１４ｘまたは第２空間１５ｘの光を透過させず、遮光性も確保される。
【００７５】
本実施例によれば、図２０に示すように、上側隙間閉鎖手段４の基体としての上側ケース４１は、上側遮音部材４０を保持すると共に、戸首を形成している。即ち、上側ケース４１は戸首として機能し、上側ケース４１の上部分は戸枠３の上枠３１の戸首嵌込溝３８に嵌め込まれている。このように上側隙間閉鎖手段４の基体としての上側ケース４１を戸首として有効利用することにより、引き戸１のこれの厚み方向への転倒を防止している。
【実施例１２】
【００７６】
図２２は実施例１２を示す。本実施例は実施例１と基本的には同様の構成、作用効果を有する。共通する部位に共通の符号を付する。図２２に示すように、引き戸本体１０の内部には内部連通路６４が設けられている。内部連通路６４は下側連通路７３および上側連通路６３を引き戸本体１０の内部において互いに連通させている。この場合、第１空間１４ｘと第２空間１５ｘとを連通させる通気性が一層確保され易い。
【００７７】
ところで、使用条件によっては、第１空間１４ｘと第２空間１５ｘとの間に大きな温度差または湿度差がかなり存在するときがある。この場合、第１表面１４および第２表面１５における温度差または湿度差に起因して、引き戸本体１０に反りが発生するおそれがある。このような場合であっても、内部連通路６４には第１空間１４ｘおよび第２空間１５ｘの雰囲気が進入する。故に、内部連通路６４の内部は、第１空間１４ｘと第２空間１５ｘとの中間の温度または湿度となり易い。この場合、引き戸本体１０，１０Ｅに作用する急激な温度差または湿度差が軽減されるので、引き戸本体１０，１０Ｅの反りが低減される利点が得られる。
【００７８】
このように引き戸本体１０，１０Ｅの閉鎖時において、遮音性を高めつつも、引き戸本体１０，１０Ｅで仕切られた第１空間１４ｘと第２空間１５ｘとの間における通気性が確保される。すなわち、第１上面開口６１、第２上面開口６２および上側連通路６３により、引き戸本体１０，１０Ｅの上辺部１１側の通気性が確保される。更に、表面開口７１、第２下面開口７２および下側連通路７３により、引き戸本体１０，１０Ｅの下辺部１２側の通気性が確保される。
【００７９】
しかも第１上面開口６１、第２上面開口６２および下面開口７２は使用者から視認できないため、使用者に通気孔を存在を認識させない。更に図２２に示すように、第２表面１５に通気孔の開口が形成されていないため、第２表面１５における意匠を選択する自由度を拡大させることができる。
【００８０】
本実施例においても、上側隙間閉鎖手段４の基体としての上側ケース４１は、戸首として機能しており、上側ケース４１の上部分は戸枠３の上枠３１の戸首嵌込溝３８に嵌め込まれている。このように上側隙間閉鎖手段４の基体としての上側ケース４１を戸首として有効利用することにより、引き戸１のこれの厚み方向への転倒を防止している。
【実施例１３】
【００８１】
図２３は実施例１３を示す。本実施例は実施例３と基本的には同様の構成、作用効果を有する。共通する部位に共通の符号を付する。以下、異なる部分を中心として説明する。引き戸本体１０，１０Ｅの上辺部１１側には、引き戸本体１０，１０Ｅの閉鎖時に上辺部１１よりも上方の上側隙間９１を閉鎖させる上側隙間閉鎖手段４が設けられている。この結果、第１空間１４ｘと第２空間１５ｘとの間における音の伝播が抑えられ、遮音性および遮光性の高い引き戸１を提供することができる。
【００８２】
図２３は引き戸本体１０の厚み方向に沿った断面を示す。図２３に示すように、引き戸本体１０の上辺部１１側において、引き戸本体１０，１０Ｅの第２表面１５において形成された第２表面開口１７ｕと、上辺部１１において上側遮音部材４０よりも第１表面１４側に形成された第１上面開口６１と、第２表面開口１７ｕおよび第１上面開口６１を連通させる断面でＬ字形状の上側連通路６３とが形成されている。
【００８３】
本実施例によれば、図２３に示すように、上側隙間閉鎖手段４の中心線ＭＵは、引き戸本体１０，１０Ｅの厚み方向の中心線ＭＣよりも第２表面１５側にΔＭ３偏芯している。このため引き戸本体１０，１０Ｅの上辺部１１において、第１上面開口６１を第１表面１４側に寄せて形成することができる。
【００８４】
本実施例においても、図２３に示すように、上側隙間閉鎖手段４の基体としての上側ケース４１は、戸首として機能しており、上側ケース４１の上部分は戸枠３の上枠３１の戸首嵌込溝３８に嵌め込まれている。本実施例においても、引き戸本体１０の内部には内部連通路６４が設けられている。内部連通路６４は下側連通路（図示せず）および上側連通路６３を連通する。
【００８５】
（そのほか）
上記した実施例では、第１戸尻側隙間閉鎖要素２１０および第２戸尻側隙間閉鎖要素２２０の基部２７０は中空構造とされているが、これに限らず、中実構造としても良い。基部２７０は高分子材料で形成されているが、シール部２８０が可撓性を有する限り、アルミ合金、鉄合金等の金属系材料で形成しても良い。更に、第１戸尻側隙間閉鎖要素２１０および第２戸尻側隙間閉鎖要素２２０のシール部２８０は中空構造とされているが、これに限らず、中実構造としても良い。
第１戸尻側隙間閉鎖要素２１０および第２戸尻側隙間閉鎖要素２２０のシール部の断面形状は上記した形状に限定されず、適宜変更できる。第１戸尻側隙間閉鎖要素２１０および第２戸尻側隙間閉鎖要素２２０を圧入により取り付けることにしているが、他の嵌合構造、ねじ等で取りつけても良い。更に、構造物２の開口部２０には戸枠３が取り付けられていなくても良い。本発明は上記し且つ図面に示した実施例のみに限定されるものではなく、要旨を逸脱しない範囲内で適宜変更して実施できる。
【産業上の利用可能性】
【００８６】
本発明は例えばトイレ室、勉強部屋、寝室、客室、居間、業務室、オーディオ室、コンピュータ室等といった遮音性が特に要請される室に取り付けられる引き戸に利用することができる。
【図面の簡単な説明】
【００８７】
【図１】実施例１に係り、戸枠に取り付けられている引き戸を開放している途中状態を模式的に示す正面図である。
【図２】実施例１に係り、引き戸本体の戸尻と相手引き戸本体の戸尻付近をスライド方向に沿って切断して模式的に示す構成図である。
【図３】実施例１に係り、戸尻側隙間閉鎖要素を取付孔に取り付ける状態を模式的に示す断面図である。
【図４】実施例１に係り、構造物の戸枠に引き戸本体を閉鎖する直前の状態を模式的に示す構成図である。
【図５】実施例１に係り、第１戸尻側隙間閉鎖要素および第２戸尻側隙間閉鎖要素が当接してシールしている状態を模式的に示す構成図である。
【図６】変形形態に係り、引き戸本体の戸尻と相手引き戸本体の戸尻付近をスライド方向に沿って切断して模式的に示す構成図である。
【図７】変形形態に係り、引き戸本体の戸尻と相手引き戸本体の戸尻付近をスライド方向に沿って切断して模式的に示す構成図である。
【図８】実施例２に係り、引き戸本体の戸尻側に取り付けられた第１戸尻側隙間閉鎖要素と相手引き戸本体の戸尻側に取り付けられた第２戸尻側隙間閉鎖要素の付近をスライド方向に沿って切断して模式的に示す構成図である。
【図９】実施例３に係り、引き戸本体の戸尻側に取り付けられた第１戸尻側隙間閉鎖要素と相手引き戸本体の戸尻側に取り付けられた第２戸尻側隙間閉鎖要素の付近をスライド方向に沿って切断して模式的に示す構成図である。
【図１０】実施例４に係り、引き戸本体の戸尻側に取り付けられた第１戸尻側隙間閉鎖要素と、相手引き戸本体の戸尻側に取り付けられた第２戸尻側隙間閉鎖要素との付近をスライド方向に沿って切断して模式的に示す構成図である。
【図１１】実施例５に係り、引き戸本体の戸尻側に取り付けられた第１戸尻側隙間閉鎖要素と、相手引き戸本体の戸尻側に取り付けられた第２戸尻側隙間閉鎖要素との付近をスライド方向に沿って切断して模式的に示す構成図である。
【図１２】実施例６に係り、引き戸本体の戸尻側に取り付けられた第１戸尻側隙間閉鎖要素と、相手引き戸本体の戸尻側に取り付けられた第２戸尻側隙間閉鎖要素との付近をスライド方向に沿って切断して模式的に示す構成図である。
【図１３】実施例７に係り、引き戸本体の戸尻側に取り付けられた第１戸尻側隙間閉鎖要素と、相手引き戸本体の戸尻側に取り付けられた第２戸尻側隙間閉鎖要素との付近をスライド方向に沿って切断して模式的に示す構成図である。
【図１４】実施例８に係り、引き戸本体の戸尻側に取り付けられた第１戸尻側隙間閉鎖要素と、相手引き戸本体の戸尻側に取り付けられた第２戸尻側隙間閉鎖要素との付近をスライド方向に沿って切断して模式的に示す構成図である。
【図１５】実施例９に係り、引き戸本体の戸尻側に取り付けられた第１戸尻側隙間閉鎖要素と、相手引き戸本体の戸尻側に取り付けられた第２戸尻側隙間閉鎖要素との付近をスライド方向に沿って切断して模式的に示す構成図である。
【図１６】実施例１０に係り、戸枠に取り付けられている引き戸を開放している途中状態を模式的に示す正面図である。
【図１７】実施例１０に係り、引き戸本体に上側隙間閉鎖手段および下側隙間閉鎖手段を搭載した状態を模式的に示す構成図である。
【図１８】実施例１０に係り、上側隙間閉鎖手段付近を模式的に示す断面図である。
【図１９】実施例１０に係り、下側隙間閉鎖手段付近を模式的に示す断面図である。
【図２０】実施例１１に係り、上側隙間閉鎖手段付近を模式的に示す断面図である。
【図２１】実施例１１に係り、引き戸が２枚重ねられている状態を模式的に示す断面図である。
【図２２】実施例１２に係り、引き戸が２枚重ねられている状態を模式的に示す断面図である。
【図２３】実施例１３に係り、上側隙間閉鎖手段付近を模式的に示す断面図である。
【符号の説明】
【００８８】
１００は戸先、１０２は戸尻、１０５は戸尻側隙間、２００は戸尻側隙間閉鎖手段、２１０は第１戸尻側隙間閉鎖要素、２２０は第２戸尻側隙間閉鎖要素、２７０は基部、２８０はシール部、２８１はシール中空室、２８３は切欠を示す。
【００８９】
１は引き戸、１０は引き戸本体、１Ｅは相手引き戸（相手材）、１０Ｅは相手引き戸本体（相手材）、１１は上辺部、１２は下辺部、１３は側辺部、１４は第１表面、１４ｘは第１空間、１５ｘは第２空間、１５は第２表面、１６は第１表面開口、１７は第２表面開口、２は構造物、２０は開口部、３は戸枠、３１は上枠、３２は下枠、３３は側枠、４は上側隙間閉鎖手段、４０は上側遮音部材、４１は上側ケース（上側基体）、４２は上側バネ部材、４３は上側作動体、４５は上側作動部、５は下側隙間閉鎖手段、５０は下側遮音部材、５１は下側ケース（下側基体）、５２は下側バネ部材、５３は下側作動体、５５は下側作動部、６１は第１上面開口、６２は第２上面開口、６３は上側連通路、７１は表面開口、７２は第２下面開口、７３は下側連通路、９１は上側隙間、９２は下側隙間を示す。
【図１】
2007314995.tif 000003
【図２】
2007314995.tif 000004
【図３】
2007314995.tif 000005
【図４】
2007314995.tif 000006
【図５】
2007314995.tif 000007
【図６】
2007314995.tif 000008
【図７】
2007314995.tif 000009
【図８】
2007314995.tif 000010
【図９】
2007314995.tif 000011
【図１０】
2007314995.tif 000012
【図１１】
2007314995.tif 000013
【図１２】
2007314995.tif 000014
【図１３】
2007314995.tif 000015
【図１４】
2007314995.tif 000016
【図１５】
2007314995.tif 000017
【図１６】
2007314995.tif 000018
【図１７】
2007314995.tif 000019
【図１８】
2007314995.tif 000020
【図１９】
2007314995.tif 000021
【図２０】
2007314995.tif 000022
【図２１】
2007314995.tif 000023
【図２２】
2007314995.tif 000024
【図２３】
2007314995.tif 000025